(57)【要約】【課題】リモコンの所在を目視ですぐに確認でき、また適当な距離で片手でもリモコン操作ができる健康器具のリモコンスタンドを提供する。【解決手段】床面に設置される基台２と、基台２上に立設された支柱３と、支柱３の上部に設けられて健康器具のリモコン本体の表示部および操作部が表出した状態でリモコン本体を支持するリモコンホルダ５とを備えた健康器具のリモコンスタンド。リモコンホルダ５を備えたリモコンスタンド１を、健康器具のそばの手が届く場所に設置し、リモコンホルダ５にリモコン本体をセットしておくことにより、健康器具の基体上に寝てマッサージをしている途中でリモコン操作したい場合、リモコン本体の所在がすぐに目視で確認できるため、手を伸ばして片手でリモコン本体を取って他方の手で操作するか、リモコンホルダにセットされた状態のまま片手でリモコン操作することができるので、寝た姿勢を動かす必要がない。【選択図】図１
0003121242.tif 000002
【実用新案登録請求の範囲】
【請求項１】
床面に設置される基台と、前記基台上に立設された支柱と、前記支柱の上部に設けられて健康器具のリモコン本体の表示部および操作部が表出した状態で前記リモコン本体を支持するリモコンホルダとを備えたことを特徴とする健康器具のリモコンスタンド。
【請求項２】
前記リモコンホルダには、前記健康器具のオプション電気器具のリモコン本体を支持可能な支持手段を更に備えていることを特徴とする請求項１記載の健康器具のリモコンスタンド。
【考案の詳細な説明】
【技術分野】
【０００１】
本考案は、主として仰向けに寝た状態で人体への温熱印加、指圧、マッサージを行う健康器具のリモコンを、寝た状態のまま操作しやすい位置に保持する健康器具のリモコンスタンドに関する。
【背景技術】
【０００２】
マッサージを施す健康器具としては、寝た状態でマッサージするベッド式と、主に背骨や頭部をマッサージするチェア式があるが、全身をマッサージするには、ベッド式が適している。
この種のマッサージ装置としては、特許文献１，２に記載されたものがある。
【０００３】
特許文献１に記載されたマッサージ装置は、基体と、マッサージローラが取り付けられたローラ軸を有し基体に走行可能に設けられた一対のローラユニットと、このローラユニットをローラ軸の軸線と交差する方向に往復駆動する駆動機構と、ケースおよびこのケース内に収容されたモータ、このモータによって偏心回転させられる重りとを有し、一対のローラユニットの一方に設けられた振動装置と、モータを駆動するパルス電圧の周波数を制御し駆動装置にほぐしマッサージ動作と叩きマッサージ動作を選択的に与える制御手段とを備えたものである。
【０００４】
特許文献２に記載されたマッサージ装置は、基体と、この基体の長手方向に沿って走行可能に設けられたマッサージローラと、基体の長手方向一端側に設けられたマッサージローラを基体の長手方向に沿って往復駆動する駆動装置と、基台の長手方向他端側に設けられこの基体の仰臥する利用者の頭部を支持する枕部と、この枕部に設けられ枕部に頭部を載置した利用者の首部を揉んでマッサージする首用マッサージ器と、基体の長手方向一端側に設けられ基体に仰臥した利用者の脚部を揉んでマッサージする脚用マッサージ器とを備えたものである。
【０００５】
【特許文献１】特開２００３−３８６０１号公報
【特許文献２】特開２００５−１３７７５９号公報
【考案の開示】
【考案が解決しようとする課題】
【０００６】
このような、ベッド式のマッサージ装置では、さらに、ヒータを基体に配置して、温熱作用による血行促進、緊張緩和を図るものがある。
ベッド式のマッサージ装置には、利用者が寝た状態でマッサージの運転／停止やマッサージの種類やモードの選択、時間等を操作できるようにコード式のリモコン（リモートコントローラ）が付属している。
【０００７】
このリモコンのコードは、基体の一方の側部の中ほどから外部に引き出されており、リモコン本体は、床の上やベッドから垂らした状態になっている。利用者は、マッサージ中にリモコンを操作する際、いちいち上半身を起こしてリモコンを取って操作するのは面倒であること、せっかく一番いい位置に首や体を置いているので、マッサージを中断させずに次のメニューを選びたいこと、腹部や胸部にオプションの遠赤外線マットなどを掛けている場合、それが外れるのを嫌うので、寝たままリモコンを操作したいという諸々の理由で、多くの利用者は、寝た状態のまま、片方の手で基体の側部をさぐり、コードに触ったらコードをたぐり寄せてリモコン本体を持ち上げ、他方の手の指でリモコン操作をしようとする。
【０００８】
しかし、片方の手で基体の側部をさぐってもなかなかコードが手に触れなかったり、別の側をさぐっていたりして、なかなかリモコン本体に行き着かない場合がある。また、コードが長いと、リモコン本体を手に取るまでに時間がかかる。さらに、やっとリモコン本体を手に取って操作しようとしても、間近であるため、老眼鏡を外してマッサージしている場合、リモコン本体の表示がぼやけて見えないという問題がある。
【０００９】
本考案は、リモコンの所在を目視ですぐに確認でき、また適当な距離で片手でもリモコン操作ができる健康器具のリモコンスタンドを提供することを目的とする。
【課題を解決するための手段】
【００１０】
前記の課題を解決するため、本考案の健康器具のリモコンスタンドは、床面に設置される基台と、前記基台上に立設された支柱と、前記支柱の上部に設けられて健康器具のリモコン本体の表示部および操作部が表出した状態で前記リモコン本体を支持するリモコンホルダとを備えたことを特徴とする。
【００１１】
本考案においては、リモコンホルダを備えたリモコンスタンドを、健康器具のそばの手が届く場所に設置し、リモコンホルダに健康器具のリモコン本体をセットしておくことにより、健康器具の基体上に寝てマッサージをしている途中でリモコン操作したい場合、リモコン本体の所在がすぐに目視で確認できるため、手を伸ばして片手でリモコン本体を取って他方の手で操作するか、リモコンホルダにセットされた状態のまま片手でリモコン操作することができるので、寝た姿勢を動かす必要がない。
【００１２】
リモコンホルダには、健康器具のオプション電気器具のリモコン本体を支持可能な支持手段を更に備えることにより、同様にオプション電気器具の操作も寝た姿勢のまま行うことができる。
【考案の効果】
【００１３】
本考案によれば、床面に設置される基台と、基台上に立設された支柱と、支柱の上部に設けられて健康器具のリモコン本体の表示部および操作部が表出した状態でリモコン本体を支持するリモコンホルダとを備えたので、リモコンの所在を目視ですぐに確認でき、また適当な距離で片手でもリモコン操作をすることができる。
【考案を実施するための最良の形態】
【００１４】
以下、本考案の実施の形態を、図面を用いて説明する。
図１は本考案の実施の形態に係る健康器具のリモコンスタンドの斜視図、図２は同リモコンスタンドの要部拡大断面図、図３は同リモコンスタンドの使用状態を示す斜視図である。
【００１５】
これらの図において、本実施の形態のリモコンスタンド１は、床面に設置される基台２と、基台２上に立設された角パイプ状の支柱３と、支柱３の上部に斜めに取り付けられた取付基板４と、取付基板４の中央部に取り付けられたリモコンホルダ５とを有している。このリモコンホルダ５は、健康器具２０のリモコン１０の高さと幅に合わせて設けられており、下部には下部受け５ａ、上部には上部受け５ｂ、両側には側部受け５ｃが設けられている。下部受け５ａの中央部には、リモコン１０のコード１１を通す切り込み５ｄが設けられている。また、リモコンホルダ５の両側の取付基板４のスペースには、健康器具２０のオプション電気器具である、例えば遠赤外線マット１２のリモコン１３を掛ける金具（ネジの頭部）６が設けられている。
【００１６】
リモコンスタンド１の全体の材質は、金属、プラスチック、木材等、いずれでも良いが、リモコンホルダ５にリモコン１０をセットして指で操作したときに、容易に傾いたり動いたりしない構造とする。
【００１７】
また、支柱３は角パイプ状としたが、丸パイプでも良いし、棒状でもよい。支柱３は、高さ調整ができる構造とすることもできる。
【００１８】
図３は本実施の形態の使用状態を示すものであり、脚２１付きのパイプ台２２上に載せた健康器具（マッサージ機）２０に利用者が仰向けに寝た状態を示している。リモコンスタンド１のリモコンホルダ５には、健康器具２０のリモコン１０がセットされ、また遠赤外線マット１２のリモコン１３も裏側の穴を利用して金具６に掛けられている。リモコン１０，１３の操作部に利用者の手が届く距離の位置に、リモコンスタンド１を立てておく。
【００１９】
リモコン１０，１３を操作したい場合は、リモコン１０，１３の操作部を見ながら指で操作することができる。健康器具２０は、ローラの移動や揉み動作により、全身のマッサージを行い、また遠赤外線による温熱作用で体全体の血行をよくし、肩こり、腰の疲れ、筋肉のこり、足の疲れを取り除く。その際のマッサージプログラムや時間設定をリモコン１０で行う。マッサージプログラムが終了したとき、引き続いてマッサージを続行するときは、寝た姿勢のまま、指を伸ばしてリモコン１０の操作を行うことができる。
【００２０】
なお、図３の例では、健康器具２０をパイプ台２２上に載せた状態を示したが、床に直接健康器具２０を置いてマッサージを行う場合は、リモコンスタンド１の高さが適当な高さになるようにする。
【００２１】
このようにして、リモコンホルダ５にセットされた状態で、寝た姿勢を動かさずに、片手でリモコン１０の操作をすることができる。
【産業上の利用可能性】
【００２２】
本考案は、寝た姿勢で使用する健康器具のリモコンの所在を目視ですぐに確認でき、また適当な距離で片手でもリモコン操作をすることができるリモコンスタンドとして、好適に利用することができる。
【図面の簡単な説明】
【００２３】
【図１】本考案の実施の形態に係る健康器具のリモコンスタンドの斜視図である。
【図２】本考案の実施の形態に係る健康器具のリモコンスタンドの要部拡大断面図である。
【図３】本考案の実施の形態に係る健康器具の使用状態を示す斜視図である。
【符号の説明】
【００２４】
１  リモコンスタンド
２  基台
３  支柱
４  取付基板
５  リモコンホルダ
５ａ  下部受け
５ｂ  上部受け
５ｃ  側部受け
５ｄ  切り込み
６  金具
１０  リモコン
１１  コード
１２  遠赤外線マット
１３  リモコン
２０  健康器具
２１  脚
２２  パイプ台
【図１】
0003121242.tif 000003
【図２】
0003121242.tif 000004
【図３】
0003121242.tif 000005